【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
エネルギー伝達要素に結合されるスイッチと、
前記スイッチのスイッチングを制御し、電源の出力を調整するように前記スイッチに結合されたコントローラと、
前記コントローラ内部に含まれ、前記スイッチ内の電流を第１の電流制限および第２の電流制限とそれぞれ比較するように結合された第１の比較器と第２の比較器とを含む電流センサとを備え、前記コントローラは、前記スイッチ内の前記電流が前記第1の電流制限より大きい場合、前記スイッチの次のスイッチング・サイクルまで、前記スイッチの現在のスイッチング・サイクルの残りの間、前記スイッチを開き、
前記コントローラ内部に含まれ、前記第２の比較器に結合される周波数調整器をさらに備え、前記周波数調整器は、前記コントローラ内部に含まれる発振器の発振周波数を調整し、
前記周波数調整器は、前記スイッチ内の前記電流が前記第２の電流制限より大きい場合、前記スイッチの前記次のスイッチング・サイクルを遅延しスイッチング期間を第1の延長されたスイッチング期間に延長することによって前記発振周波数を調整するよう、かつ前記スイッチ内の前記電流が第２の連続するスイッチング・サイクルに対する前記第２の電流制限より大きい場合、前記スイッチの前記次のスイッチング・サイクルを遅延し前記スイッチング期間を第２のスイッチング期間に延長するように結合され、前記第２の延長されたスイッチング期間は、前記第１の延長されたスイッチング期間より長いことを特徴とする、スイッチング調整回路。
【請求項２】
前記周波数調整器は、前記第２の比較器に応答して、前記発振器の発振周波数を低くして、前記スイッチの前記次のスイッチング・サイクルを遅延させる、請求項１に記載のスイッチング調整回路。
【請求項３】
前記周波数調整器は、前記第２の比較器に応答して、前記発振器の前記発振周波数を低くして、前記スイッチの前記次のスイッチング・サイクルをスキップする、請求項１に記載のスイッチング調整回路。
【請求項４】
前記コントローラが集積回路内部に含まれる、請求項１に記載のスイッチング調整回路。
【請求項５】
前記スイッチが前記集積回路内部に含まれる、請求項４に記載のスイッチング調整回路。
【請求項６】
前記第２の電流制限が前記第１の電流制限より大きい、請求項１に記載のスイッチング調整回路。
【請求項７】
前記コントローラ内部に含まれ、前記電流センサに結合された立上りブランキング回路をさらに備える、請求項１に記載のスイッチング調整回路。
【請求項８】
前記周波数調整器は、前記発振器の前記発振周波数を調整して、前記エネルギー伝達要素に結合された出力に絶え間ない調整を行う、請求項１に記載のスイッチング調整回路。
【請求項９】
エネルギーの伝達を調整するための方法であって、
エネルギー伝達要素に結合されたスイッチをスイッチングして、前記エネルギー伝達要素を介するエネルギーの伝達を調整するステップと、
前記スイッチ内の電流を第１の電流制限と比較するステップと、
前記スイッチ内の前記電流を第２の電流制限と比較するステップと、
前記スイッチ内の前記電流が、前記第１の電流制限より大きい場合、前記スイッチの次のスイッチング・サイクルまで、前記スイッチの現在のスイッチング・サイクルの残りの間、前記スイッチを開くステップと、
前記スイッチ内の前記電流が、前記第２の電流制限より大きい場合、前記スイッチング期間を第１の延長されたスイッチング期間に延長することよって、前記スイッチの前記次のスイッチング・サイクルを遅延させるステップと、
前記スイッチ内の前記電流が、第２の連続するスイッチング・サイクルに対する前記第２の電流制限より大きい場合、前記スイッチング期間を第２の延長されたスイッチング期間に延長することによって、前記スイッチの前記次のスイッチングサイクルを遅延するステップとを備え、前記第２の延長されたスイッチング期間は、前記第１の延長されたスイッチング期間より長い、方法。
【請求項１０】
前記スイッチの前記次のスイッチング・サイクルを遅延させるステップは、前記スイッチ内の前記電流が前記第２の電流制限より大きい場合、発振器の周波数を調整するステップを含む、請求項９に記載のエネルギーの伝達を調整するための方法。
【請求項１１】
前記スイッチの前記次のスイッチング・サイクルを遅延させるステップは、前記スイッチ内の前記電流が前記第２の電流制限より大きい場合、前記スイッチの前記次のスイッチング・サイクルをスキップするステップを含む、請求項９に記載のエネルギーの伝達を調整するための方法。
【請求項１２】
前記第２の電流制限が前記第１の電流制限より大きい、請求項９に記載のエネルギーの伝達を調整するための方法。
【請求項１３】
前記スイッチの各スイッチング・サイクルの立上りブランキング時間中、前記スイッチを流れる前記電流を無視するステップをさらに備える、請求項９に記載のエネルギーの伝達を調整するための方法。
【請求項１４】
前記次のスイッチング・サイクルを遅延させるステップは、前記エネルギー伝達要素に結合された出力の絶え間ない調整を維持するステップを含む、請求項９に記載のエネルギーの伝達を調整するための方法。
【請求項１５】
電源の入力と出力の間に結合されたエネルギー伝達要素と、
電源の前記入力から電源の前記出力へのエネルギーの伝達をフィードバック信号に応答して調整するように前記エネルギー伝達要素の入力に結合されたスイッチと、
前記スイッチのスイッチングを制御するように前記スイッチに結合されたコントローラと、
前記コントローラ内部に含まれ、前記スイッチ内の電流を第１の電流制限および第２の電流制限とそれぞれ比較するように結合された第１の比較器と第２の比較器とを含む電流センサとを備え、前記コントローラは、前記第１の電流制限より大きい前記スイッチ内の前記電流に応答して、前記スイッチの次のスイッチング・サイクルまで、前記スイッチの現在のスイッチング・サイクルの残りの間、前記スイッチを開き、前記第１の比較器および前記第２の比較器は、前記スイッチ内の前記電流を前記フィードバック信号とは独立したそれぞれの電流制限と比較するように結合され、
前記コントローラ内部に含まれ、前記第２の比較器に結合される周波数調整器をさらに備え、前記周波数調整器は、前記第２の電流制限より大きい前記スイッチ内の前記電流に応答して、前記コントローラ内部に含まれる発振器の発振周波数を調整する、電源。
【請求項１６】
電源の前記出力と、前記コントローラとの間に結合されて、電源の前記出力から前記コントローラに前記フィードバック信号を供給するフィードバック回路をさらに備える、請求項１５に記載の電源。
【請求項１７】
前記コントローラを含む集積回路をさらに備える、請求項１５に記載の電源。
【請求項１８】
前記集積回路が前記スイッチをさらに含む、請求項１７に記載の電源。
【請求項１９】
前記第２の電流制限が前記第１の電流制限より大きい、請求項１５に記載の電源。
【請求項２０】
前記周波数調整器は、前記発振器の前記発振周波数を調整して、電源の前記出力に絶え間ない調整を行う、請求項１５に記載の電源。
【請求項２１】
前記コントローラは、前記スイッチ内の前記電流が前記第２の電流制限より大きい場合、前記スイッチの前記次のスイッチング・サイクルまで、前記スイッチの前記現在のスイッチング・サイクルの前記残りの間、前記スイッチをさらに開く、請求項１に記載のスイッチング調整回路。
【請求項２２】
前記周波数調整器は、前記第２の比較器と前記発振器の周波数調整入力との間に結合されるラッチを含み、前記ラッチは、立上りブランキング時間の後、前記スイッチング期間中、前記スイッチ内の前記電流が前記第２の電流制限より大きいことを検出する前記第２の比較器に応答してセットされる、請求項１に記載のスイッチング調整回路。
【請求項２３】
前記ラッチは、前記発振器のクロック出力に結合され、前記ラッチは、前記次のスイッチング期間の始めで、前記クロック出力によってリセットされる、請求項２２に記載のスイッチング調整回路。